(57)【要約】【課題】  各種情報のネットワーク外への持ち出しを抑制可能な無線ネットワークシステムを提供する。【解決手段】  無線ネットワークシステム１００は、アクセスポイント１０と、無線装置２０，３０，４０，５０，６０とを備える。アクセスポイント１０は、無線通信空間７０において通信していない期間を利用して各無線装置２０，３０，４０，５０，６０との通信距離を測定し、その測定した通信距離に応じて、各無線装置２０，３０，４０，５０，６０に許可する通信サービスの内容を決定する。また、アクセスポイント１０は、各無線装置２０，３０，４０，５０，６０の端末固有情報が登録されているか否かによって各無線装置２０，３０，４０，５０，６０に許可する通信サービスの内容を決定する。【選択図】        図１
2006025360.tif 000002
【特許請求の範囲】
【請求項１】
ｎ（ｎは１以上の自然数）個の無線装置と、
前記ｎ個の無線装置の各々との通信距離を測定し、その測定した通信距離に応じて前記ｎ個の無線装置に許可する通信サービスを決定する中継局とを備える無線ネットワークシステム。
【請求項２】
前記中継局は、複数の通信距離に対応付けられた複数の通信サービスを保持しており、前記測定した通信距離に応じて、前記通信サービスの内容を段階的に変更する、請求項１に記載の無線ネットワークシステム。
【請求項３】
前記中継局は、一定の通信距離外に存在する無線装置に対して全ての通信サービスを禁止する、請求項１に記載の無線ネットワークシステム。
【請求項４】
前記中継局は、一定の通信距離内に存在する無線装置に対して、前記通信距離に応じて前記通信サービスを決定する、請求項１に記載の無線ネットワークシステム。
【請求項５】
前記中継局は、前記通信距離が長くになるに従って、前記通信サービスの内容を制限する、請求項４に記載の無線ネットワークシステム。
【請求項６】
前記一定の通信距離は、前記通信サービスの内容に応じて決定される、請求項３から請求項５のいずれか１項に記載の無線ネットワークシステム。
【請求項７】
前記中継局は、前記通信距離の履歴情報に基づいて前記通信サービスを変更する、請求項１に記載の無線ネットワークシステム。
【請求項８】
前記中継局は、前記履歴情報および前記ｎ個の無線装置の登録／未登録に応じて、前記ｎ個の無線装置に対する通信サービスを決定する、請求項７に記載の無線ネットワークシステム。
【請求項９】
前記中継局は、前記ｎ個の無線装置の各々へのデータの送信を完了する第１のタイミングと前記ｎ個の無線装置の各々からの前記データの受信を開始する第２のタイミングとの間のトータル時間を計測し、その計測したトータル時間と、前記ｎ個の無線装置の各々から受信した前記ｎ個の無線装置の各々の応答時間とに基づいて、前記ｎ個の無線装置の各々との通信距離を決定する、請求項１から請求項８のいずれか１項に記載の無線ネットワークシステム。
【発明の詳細な説明】
【技術分野】
【０００１】
この発明は、無線ネットワークシステムに関し、特に、２つの通信端末間の通信距離に応じて通信サービスの内容を変更可能な無線ネットワークシステムに関するものである。
【背景技術】
【０００２】
従来の無線ＬＡＮ（Ｌｏｃａｌ  Ａｒｅａ  Ｎｅｔｗｏｒｋ）システムにおいては、物理層のプロトコルとしてＣＤＭＡ（Ｃｏｄｅ  Ｄｉｖｉｓｉｏｎ  Ｍｕｌｔｉｐｌｅ  Ａｃｃｅｓｓ：符号分割多重接続）方式が用いられ、データリンク層における媒体アクセス制御方式としてＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式が用いられている。
【０００３】
このＣＳＭＡ／ＣＡ方式は、他の通信端末がパケットを送信中であるか否か、自分宛てのパケットが送信されているか否かを常に監視することにより通信の衝突を回避する方式である（非特許文献１）。即ち、各通信端末は、ネットワークが一定時間以上継続して空いていることを確認した後、データを送信する。
【０００４】
このように、従来の無線ＬＡＮシステムにおいては、ＣＳＭＡ／ＣＡ方式を用いてデータの通信が行なわれている。
【非特許文献１】小泉著，「図解でわかるデータ通信のすべて」，株式会社日本実業出版社，１９９９年１１月２０日，ｐ．２７２
【発明の開示】
【発明が解決しようとする課題】
【０００５】
しかし、従来の無線ＬＡＮシステムにおいては、そのシステム内で送受信される情報が盗聴されるという問題がある。
【０００６】
即ち、従来の無線ＬＡＮシステムにおいては、２つの通信端末間の通信距離の長短に拘わらず、各通信端末は、全ての通信サービスを受けることが可能である。ある１つのアクセスポイントに複数の通信端末が接続された無線ＬＡＮシステムを想定すると、アクセスポイントは、全ての通信サービスを複数の通信端末に提供する。即ち、アクセスポイントは、各通信端末との通信距離の長短に拘わらず、全ての通信サービスを各通信端末に提供する。
【０００７】
したがって、アクセスポイントからの通信距離が長い通信端末にも、アクセスポイントからの通信距離が短い通信端末と同じ通信サービスが提供され、本来、アクセスポイントからの通信距離が短い通信端末のみに提供すべき情報がアクセスポイントからの通信距離が長い通信端末によって盗聴されるという問題がある。
【０００８】
また、アクセスポイントからの通信距離が変化する通信端末、即ち、移動している通信端末にも、アクセスポイントとの通信距離が殆ど変化しない通信端末、即ち、殆ど一定の場所に留まっている通信端末と同じ通信サービスが提供され、本来、一定の場所に留まっている通信端末にのみ提供すべき情報が移動している通信端末によってネットワーク外へ持ち出されるという問題がある。
【０００９】
そして、このような問題は、登録している通信端末と、未登録な通信端末との間においても生じる。
【００１０】
そこで、この発明は、かかる問題を解決するためになされたものであり、その目的は、各種情報のネットワーク外への持ち出しを抑制可能な無線ネットワークシステムを提供することである。
【課題を解決するための手段】
【００１１】
この発明によれば、無線ネットワークシステムは、ｎ（ｎは１以上の自然数）個の無線装置と、中継局とを備える。中継局は、ｎ個の無線装置の各々との通信距離を測定し、その測定した通信距離に応じてｎ個の無線装置に許可する通信サービスを決定する。
【００１２】
好ましくは、中継局は、複数の通信距離に対応付けられた複数の通信サービスを保持しており、測定した通信距離に応じて、通信サービスの内容を段階的に変更する。
【００１３】
好ましくは、中継局は、一定の通信距離外に存在する無線装置に対して全ての通信サービスを禁止する。
【００１４】
好ましくは、中継局は、一定の通信距離内に存在する無線装置に対して、通信距離に応じて通信サービスを決定する。
【００１５】
好ましくは、中継局は、通信距離が長くになるに従って、通信サービスの内容を制限する。
【００１６】
好ましくは、一定の通信距離は、通信サービスの内容に応じて決定される。
【００１７】
好ましくは、中継局は、通信距離の履歴情報に基づいて通信サービスを変更する。
【００１８】
好ましくは、中継局は、履歴情報およびｎ個の無線装置の登録／未登録に応じて、ｎ個の無線装置に対する通信サービスを決定する。
【００１９】
好ましくは、中継局は、ｎ個の無線装置の各々へのデータの送信を完了する第１のタイミングとｎ個の無線装置の各々からのデータの受信を開始する第２のタイミングとの間のトータル時間を計測し、その計測したトータル時間と、ｎ個の無線装置の各々から受信したｎ個の無線装置の各々の応答時間とに基づいて、ｎ個の無線装置の各々との通信距離を決定する。
【発明の効果】
【００２０】
この発明による無線ネットワークシステムにおいては、中継局は、ｎ個の無線装置の各々との通信距離を測定し、その測定した通信距離に応じてｎ個の無線装置に許可する通信サービスを決定する。例えば、測定した通信距離が一定の通信距離内である場合、中継局は、全ての通信サービスまたは相対的に多くの通信サービスを無線装置に許可し、通信距離が一定の通信距離外である場合、中継局は、通信サービスを禁止または相対的に少ない通信サービスに制限する。
【００２１】
したがって、この発明によれば、中継局を介して取得された各種の情報がネットワーク外へ持ち出されるのを抑制できる。
【発明を実施するための最良の形態】
【００２２】
本発明の実施の形態について図面を参照しながら詳細に説明する。なお、図中同一または相当部分には同一符号を付してその説明は繰返さない。
【００２３】
図１は、この発明の実施の形態による無線ネットワークシステムの概略ブロック図である。無線ネットワークシステム１００は、アクセスポイント１０と、無線装置２０，３０，４０，５０，６０とを備える。アクセスポイント１０および無線装置２０，３０，４０，５０，６０は、無線通信空間７０に配置され、アクセスポイント１０は、ＣＳＭＡ／ＣＡ方式により無線装置２０，３０，４０，５０，６０と無線通信を行なう。
【００２４】
アクセスポイント１０は、有線ＬＡＮ１を介して登録用端末８０と接続され、有線ＬＡＮ１および通信サービスＬＡＮ２を介してｗｅｂサーバおよびメールサーバ等に接続されている。そして、アクセスポイント１０は、登録用端末８０から無線装置２０，３０，４０，５０，６０の登録情報を有線ＬＡＮ１を介して受け、その受けた登録情報を自己の記憶部に登録する。
【００２５】
アクセスポイント１０は、無線通信空間７０において通信していない期間であるＩＦＳ（Ｉｎｔｅｒｆｒａｍｅ  Ｓｐａｃｅ）を利用して、例えば、２．４ＧＨｚのキャリア周波数でデータを無線通信空間７０を介して無線装置２０（または無線装置３０，４０，５０，６０）へ送信する。そして、アクセスポイント１０は、無線装置２０（または無線装置３０，４０，５０，６０）へのデータの送信を完了したタイミングと、無線装置２０（または無線装置３０，４０，５０，６０）からのデータの受信を開始したタイミングとの間の時間を計測し、その計測した時間と、無線装置２０（または無線装置３０，４０，５０，６０）の応答時間とに基づいて、後述する方法によって無線装置２０（または無線装置３０，４０，５０，６０）との通信距離を決定する。
【００２６】
そして、アクセスポイント１０は、無線装置２０（または無線装置３０，４０，５０，６０）との通信距離を測定すると、その測定した通信距離に応じて、各無線装置２０，３０，４０，５０，６０に許可する通信サービスの内容を決定する。
【００２７】
無線装置２０（または無線装置３０，４０，５０，６０）は、アクセスポイント１０からのデータを無線通信空間７０を介して受信し、データの受信完了に応じてデータの受信完了からデータの送信までの応答時間を計測し、その計測した応答時間を無線通信空間７０を介してアクセスポイント１０へ送信する。
【００２８】
また、無線装置２０（または無線装置３０，４０，５０，６０）は、アクセスポイント１０から許可された通信サービスをアクセスポイント１０を介して受ける。即ち、無線装置２０（または無線装置３０，４０，５０，６０）は、無線ＬＡＮにおける通常の通信サービスを許可されているのなら、アクセスポイント１０を介して、その通常の通信サービスを受け、ｗｅｂサーバにアクセスすることのみが許可されているのなら、アクセスポイント１０を介してｗｅｂサーバにアクセスすることのみを行なう。
【００２９】
図２は、図１に示すアクセスポイント１０の構成を示す概略ブロック図である。アクセスポイント１０は、アンテナ１０１と、送受信切替部１０２と、送信部１０３と、受信部１０４と、距離測定部１０５と、応答制御部１０６と、距離履歴記憶部１０７と、端末固有情報記憶部１０８と、端末登録操作部１０９と、外部インタフェース部１１０とを含む。
【００３０】
アンテナ１０１は、無線通信空間７０を介して無線装置２０（または無線装置３０，４０，５０，６０）からのデータ等を受信して送受信切替部１０２へ出力するとともに、送受信切替部１０２からのデータ等を無線通信空間７０を介して無線装置２０（または無線装置３０，４０，５０，６０）へ送信する。
【００３１】
送受信切替部１０２は、応答制御部１０６からの制御に従って送信部１０３または受信部１０４に接続される。そして、送受信切替部１０２は、アクセスポイント１０が無線装置２０（または無線装置３０，４０，５０，６０）からデータ等を受信するとき、受信部１０４と接続され、アンテナ１０１から受けたデータ等を受信部１０４へ出力する。また、送受信切替部１０２は、アクセスポイント１０が無線装置２０（または無線装置３０，４０，５０，６０）へデータ等を送信するとき、送信部１０３と接続され、送信部１０３から受けたデータ等をアンテナ１０１へ与える。
【００３２】
送信部１０３は、応答制御部１０６から受けたデータ等に対して変調および増幅等の送信系の処理を行ない、送信系の処理を行なったデータ等を送受信切替部１０２およびアンテナ１０１を介して無線装置２０（または無線装置３０，３０，４０，５０，６０）へ送信する。また、送信部１０３は、アクセスポイント１０と無線装置２０（または無線装置３０，４０，５０，６０）との通信距離を測定するとき、データを無線装置２０（または無線装置３０，３０，４０，５０，６０）へ送信し終わると、データの送信終了を示す信号ＤＴＦを生成して距離測定部１０５へ出力する。
【００３３】
受信部１０４は、送受信切替部１０２から受けたデータ等に対して、増幅および復調等の受信系の処理を行ない、受信系の処理を行なったデータ等を応答制御部１０６へ出力する。また、受信部１０４は、アクセスポイント１０と無線装置２０（または無線装置３０，４０，５０，６０）との通信距離を測定するとき、アンテナ１０１および送受信切替部１０２を介して無線装置２０（または無線装置３０，４０，５０，６０）からのデータの受信を開始すると、その受信を開始したことを示す信号ＤＥＴＳを生成して距離測定部１０５へ出力する。更に、受信部１０４は、無線装置２０（または無線装置３０，４０，５０，６０）から受けたデータに含まれる、無線装置２０（または無線装置３０，４０，５０，６０）の応答時間を検出して距離測定部１０５へ出力する。
【００３４】
距離測定部１０５は、送信部１０３から信号ＤＴＦを受けたタイミングと、受信部１０４から信号ＤＥＴＳを受けたタイミングとの間の時間を計測し、その計測した時間と、無線装置２０（または無線装置３０，４０，５０，６０）の応答時間とに基づいて、後述する方法によって無線装置２０（または無線装置３０，４０，５０，６０）との通信距離を決定する。そして、距離測定部１０５は、決定した通信距離を応答制御部１０６へ出力し、または距離履歴記憶部１０７に格納する。
【００３５】
応答制御部１０６は、端末固有情報記憶部１０８に記憶されたＭＡＣ（Ｍｅｄｉａ  Ａｃｃｅｓｓ  Ｃｏｎｔｒｏｌ）アドレスに基づいて、アクセスポイント１０へアクセスして来た無線装置（無線装置２０，３０，４０，５０，６０のいずれか）が登録した無線装置であるか否かを判定し、その判定結果に応じて、その無線装置に許可する通信サービスの内容を決定する。
【００３６】
また、応答制御部１０６は、距離履歴記憶部１０７に記憶された通信距離（または通信距離の履歴）を読出し、その読出した通信距離（または通信距離の履歴）に応じて、アクセスポイント１０にアクセスして来た無線装置に許可する通信サービスの内容を決定する。
【００３７】
更に、応答制御部１０６は、外部インタフェース部１１０を介して、各無線装置２０，３０，４０，５０，６０とｗｅｂサーバおよびメールサーバ等との間で各種の情報を中継する。
【００３８】
更に、応答制御部１０６は、後述する方法によって、各無線装置２０，３０，４０，５０，６０との通信距離を定期的に測定するように送信部１０３および送受信切替部１０２を制御する。
【００３９】
更に、応答制御部１０６は、ＭＡＣアドレスの登録を行なおうとしている無線装置のＭＡＣアドレスを端末登録操作部１０９から受け、その受けたＭＡＣアドレスを有する無線装置との通信距離を測定するように送受信切替部１０２および送信部１０３を制御する。そして、応答制御部１０６は、その無線装置との通信距離が測定されると、その測定された通信距離を距離測定部１０５から受け、その受けた通信距離が所定の範囲内であれば、その無線装置のＭＡＣアドレスを端末固有情報記憶部１０８に登録することを許可するための信号ＡＬＷを端末登録操作部１０９へ出力し、距離測定部１０５から受けた通信距離が所定の範囲外であれば、その無線装置のＭＡＣアドレスを端末固有情報記憶部１０８に登録することを禁止するための信号ＩＨＢを端末登録操作部１０９へ出力する。
【００４０】
距離履歴記憶部１０７は、距離測定部１０５からの通信距離を端末固有情報記憶部１０８からのＭＡＣアドレスに対応付けて記憶する。また、距離履歴記憶部１０７は、端末固有情報記憶部１０８からのＭＡＣアドレスによって特定される各無線装置２０（または無線装置３０，４０，５０，６０）の時間ごとの通信距離、すなわち、通信距離の履歴情報をＭＡＣアドレスに対応付けて記憶する。
【００４１】
そして、距離履歴記憶部１０７は、応答制御部１０６からの要求に応じて、各無線装置２０（または無線装置３０，４０，５０，６０）の通信距離または通信距離の履歴を応答制御部１０６へ出力する。
【００４２】
端末固有情報記憶部１０８は、端末登録操作部１０９から受けるＭＡＣアドレスを端末固有情報として記憶する。
【００４３】
端末登録操作部１０９は、各無線装置２０（または無線装置３０，４０，５０，６０）の登録要求およびＭＡＣアドレスを有線ＬＡＮ１に接続された外部インタフェース部１１０を介して受け、その受けたＭＡＣアドレスを応答制御部１０６へ出力する。
【００４４】
そして、端末登録操作部１０９は、登録を許可する信号ＡＬＷを応答制御部１０６から受けると、登録要求と共に受けたＭＡＣアドレスを端末固有情報記憶部１０８に記憶し、登録を禁止する信号ＩＨＢを応答制御部１０６から受けると、登録要求を送信して来た無線装置に対して、登録しない旨を外部インタフェース部１１０を介して送信する。
【００４５】
外部インタフェース部１１０は、有線ＬＡＮ１を介して登録用端末８０から受信した登録要求および対象となる無線装置のＭＡＣアドレスを端末登録操作部１０９へ出力するとともに、ｗｅｂサーバおよびメールサーバ等から受信した各種の情報を応答制御部１０６へ出力し、応答制御部１０６から受けた各種の情報を有線ＬＡＮ１および通信サービスＬＡＮ２を介してｗｅｂサーバおよびメールサーバ等へ送信する。
【００４６】
図３は、図１に示す無線装置２０の構成を示す概略ブロック図である。無線装置２０は、アンテナ１２０と、選択器１３０，２３０と、増幅器１４０，２８０と、ミキサー１５０，２７０と、ローパスフィルタ１６０，２６０と、復調器１７０と、クロック調整器１８０と、キャリア検出器１９０と、コントローラ２００と、水晶発振器２１０と、クロック発生器２２０と、１／Ｎ分周器２４０と、変調器２５０とを含む。
【００４７】
アンテナ１２０は、無線通信空間７０を介して電波を受信し、その受信した電波を選択器１３０へ送信する。また、アンテナ１２０は、選択器１３０からの電波を無線通信空間７０へ送信する。
【００４８】
選択器１３０は、端子１３１，１３２とスイッチ１３３とを含む。端子１３１は、増幅器１４０の入力に接続される。端子１３２は、増幅器２８０の出力に接続される。スイッチ１３３は、アンテナ１２０に接続される。選択器１３０は、コントローラ２００からの信号ＳＬＴ１に基づいてスイッチ１３３を端子１３１と端子１３２との間で切換えることによりアンテナ１２０を増幅器１４０の入力または増幅器２８０の出力と接続する。より具体的には、選択器１３０は、コントローラ２００からのＨ（論理ハイ）レベルの信号ＳＬＴ１に応じてスイッチ１３３を端子１３１に接続し、コントローラ２００からのＬ（論理ロー）レベルの信号ＳＬＴ１に応じてスイッチ１３３を端子１３２に接続する。
【００４９】
増幅器１４０は、アンテナ１２０が受信した受信電波を選択器１３０を介して入力し、その入力した受信電波を増幅してミキサー１５０へ出力する。ミキサー１５０は、増幅器１４０からの受信電波と、クロック調整器１８０からのクロック信号ＣＬＫ＿ＰＡＴとを混合してローパスフィルタ１６０へ出力する。
【００５０】
ローパスフィルタ１６０は、ミキサー１５０からの電波の高周波ノイズを除去してベースバンド信号を復調器１７０及びキャリア検出器１９０へ出力する。復調器１７０は、ベースバンド信号の周波数ずれ信号を検出し、その検出した周波数ずれ信号をクロック調整器１８０へ出力する。また、復調器１７０は、ベースバンド信号を復調し、その復調したデータＤＡＴＡをコントローラ２００へ出力する。
【００５１】
クロック調整器１８０は、復調器１７０からの周波数ずれ信号に応じて通信の相手側のキャリア周波数を推定し、その推定したキャリア周波数を有するクロック信号ＣＬＫ＿ＰＡＴを生成してミキサー１５０及び選択器２３０へ出力する。キャリア検出器１９０は、ローパスフィルタ１６０からのベースバンド信号に基づいて、データの受信を終了したことを検出し、データの受信を終了したことを示す信号ＤＥＴＦを生成してコントローラ２００へ出力する。
【００５２】
コントローラ２００は、無線装置２０がデータを受信するとき、Ｈレベルの信号ＳＬＴ１を生成して端子ＳＥＬ１から選択器１３０へ出力し、無線装置２０がデータを送信するときＬレベルの信号ＳＬＴ１を生成して端子ＳＥＬ１から選択器１３０へ出力する。
【００５３】
また、コントローラ２００は、無線装置２０がデータを受信するとき、Ｈレベルの信号ＳＬＴ２を生成して端子ＳＥＬ２から選択器２３０へ出力し、無線装置２０がデータを送信するとき、Ｌレベルの信号ＳＬＴ２を生成して端子ＳＥＬ２から選択器２３０へ出力する。
【００５４】
更に、コントローラ２００は、キャリア検出器１９０から信号ＤＥＴＦを端子ＣＤＥＴに受けると、信号ＤＥＴＦを受けたタイミングからデータＤＡＴＡを出力するタイミングまでの間における１／Ｎ分周器２４０からの分周クロック信号ＣＬＫ＿Ｂの成分個数をカウントすることにより無線装置２０の応答時間を計測する。そして、コントローラ２００は、応答時間を計測すると、応答時間を含むデータＤＡＴＡを端子ＴＤＡから変調器２５０へ出力する。
【００５５】
なお、タイマ２０１をコントローラ２００に内蔵させ、コントローラ２００は、その内蔵したタイマ２０１を用いて信号ＤＥＴＦを受けたタイミングからデータＤＡＴＡを出力するタイミングまでの応答時間を計測するようにしてもよい。
【００５６】
更に、コントローラ２００は、復調器１７０からのデータＤＡＴＡを端子ＲＤＡに受け、その受けたデータＤＡＴＡを端子ＨＯＳＴＩＦを介してパーソナルコンピュータへ送信する。
【００５７】
水晶発振器２１０は、所定の周期信号を発生してクロック発生器２２０へ出力する。クロック発生器２２０は、水晶発振器２１０からの周期信号に基づいてクロック信号ＣＬＫ＿ＳＥＦを発生し、その発生したクロック信号ＣＬＫ＿ＳＥＦを選択器２３０へ出力する。
【００５８】
選択器２３０は、端子２３１，２３２とスイッチ２３３とを含む。端子２３１は、クロック調整器１８０に接続される。端子２３２は、クロック発生器２２０に接続される。スイッチ２３３は、１／Ｎ分周器２４０及びミキサー２７０に接続される。そして、選択器２３０は、コントローラ２００からＨレベルの信号ＳＬＴ２を受けるとスイッチ２３３を端子２３１に接続し、クロック調整器１８０からのクロック信号ＣＬＫ＿ＰＡＴを１／Ｎ分周器２４０及びミキサー２７０へ出力する。また、選択器２３０は、コントローラ２００からＬレベルの信号ＳＬＴ２を受けるとスイッチ２３３を端子２３２に接続し、クロック発生器２２０からのクロック信号ＣＬＫ＿ＳＥＦを１／Ｎ分周器２４０及びミキサー２７０へ出力する。
【００５９】
１／Ｎ分周器２４０は、選択器２３０からのクロック信号ＣＬＫ＿ＰＡＴまたはＣＬＫ＿ＳＥＦをＮ分の１に分周し、その分周した分周クロック信号ＣＬＫ＿Ｂをコントローラ２００へ出力する。
【００６０】
変調器２５０は、コントローラ２００からのデータ（送信用データ及び応答時間からなる）を所定の変調周波数によって変調し、その変調したデータをローパスフィルタ２６０へ出力する。ローパスフィルタ２６０は、変調器２５０からの変調データをベースバンド信号に変換してミキサー２７０へ出力する。
【００６１】
ミキサー２７０は、ローパスフィルタ２６０からのベースバンド信号と選択器２３０からのクロック信号ＣＬＫ＿ＰＡＴまたはＣＬＫ＿ＳＥＦとを混合して増幅器２８０へ出力する。増幅器２８０は、ミキサー２７０の出力を増幅して選択器１３０へ出力する。
【００６２】
なお、図１に示す無線装置３０，４０，５０，６０も、図３に示す無線装置２０と同じ構成からなる。
【００６３】
図４は、送信データ及び受信データのタイミングチャートである。以下、アクセスポイント１０が無線装置２０（または無線装置３０，４０，５０，６０）との通信距離を決定する方法について説明する。図４においては、データＤＡＴＴは、アクセスポイント１０が無線通信空間７０を介して無線装置２０（または無線装置３０，４０，５０，６０）へ送信するデータを表わし、データＤＡＲＲは、無線装置２０（または無線装置３０，４０，５０，６０）が無線通信空間７０を介してアクセスポイント１０から受信するデータを表わし、データＤＡＲＴは、無線装置２０（または無線装置３０，４０，５０，６０）が無線通信空間７０を介してアクセスポイント１０へ送信するデータを表わし、データＤＡＴＲは、アクセスポイント１０が無線通信空間７０を介して無線装置２０（または無線装置３０，４０，５０，６０）から受信するデータを表わす。
【００６４】
ＣＳＭＡ／ＣＡ方式においては、アクセスポイント１０は、１つのパケットＰＫＴ＿ｎ−１を送信すると、ＳＩＦＳ（Ｓｈｏｒｔ  Ｉｎｔｅｒｆｒａｍｅ  Ｓｐａｃｅ）という待ち時間の後、肯定応答を受信する。そして、アクセスポイント１０は、肯定応答を受信した後、ＤＩＦＳ（Ｄｉｓｔｒｉｂｕｔｅｄ  Ｉｎｔｅｒｆｒａｍｅ  Ｓｐａｃｅ）という待ち時間と、ＢＡＣＫ＿ＯＦＦという待ち時間とが経過した後に、次のパケットＰＫＴ＿ｎを送信する。
【００６５】
この発明においては、アクセスポイント１０は、ＳＩＦＳおよびＤＩＦＳ等の無線通信空間７０において通信していない期間を利用してデータが無線装置２０（または無線装置３０，４０，５０，６０）との間で往復する時間を計測し、その計測した往復時間と、無線装置２０（または無線装置３０，４０，５０，６０）の応答時間とに基づいて無線装置２０（または無線装置３０，４０，５０，６０）との通信距離を決定する。
【００６６】
アクセスポイント１０は、データＤＡＴＴを無線通信空間７０を介して無線装置２０（または無線装置３０，４０，５０，６０）へ送信し始め、無線通信空間７０のＳＩＦＳの期間の始めであるタイミングｔ１でデータＤＡＴＴの送信を終了する。そして、無線装置２０（または無線装置３０，４０，５０，６０）は、無線通信空間７０を介してアクセスポイント１０からのデータＤＡＲＲを受信し始め、アクセスポイント１０におけるデータＤＡＴＴの送信終了がタイミングｔ２で無線装置２０（または無線装置３０，４０，５０，６０）へ伝搬される。即ち、データが無線通信空間７０を介してアクセスポイント１０から無線装置２０（または無線装置３０，４０，５０，６０）へ伝搬される時間は、τ１である。
【００６７】
無線装置２０（または無線装置３０，４０，５０，６０）は、アクセスポイント１０からのデータＤＡＲＲの受信を終了すると、上述した方法によって応答時間Ｔｒｅｓｐを計測し、応答時間Ｔｒｅｓｐの計測が終了するタイミングｔ３で無線通信空間７０を介して応答時間Ｔｒｅｓｐを含むデータのアクセスポイント１０への送信を開始する。そして、アクセスポイント１０は、無線通信空間７０を介して無線装置２０（または無線装置３０，４０，５０，６０）からの応答時間Ｔｒｅｓｐを含むデータを受信し始め、無線装置２０（または無線装置３０，４０，５０，６０）におけるデータＤＡＲＴの送信開始がタイミングｔ４でアクセスポイント１０へ伝搬される。即ち、データが無線通信空間７０を介して無線装置２０（または無線装置３０，４０，５０，６０）からアクセスポイント１０へ伝搬される時間は、τ２である。
【００６８】
アクセスポイント１０の距離測定部１０５は、上述したように、信号ＤＴＦを受けたタイミングから信号ＤＥＴＳを受けたタイミングまでの時間、すなわち、タイミングｔ１からタイミングｔ４までのトータル時間Ｔｔｏｔａｌを計測する。その結果、次式が成立する。
【００６９】
Ｔｔｏｔａｌ＝τ１＋Ｔｒｅｓｐ＋τ２・・・（１）
応答時間Ｔｒｅｓｐは、上述したように無線装置２０（または無線装置３０，４０，５０，６０）のコントローラ２００によって計測されるので、トータル時間Ｔｔｏｔａｌから応答時間Ｔｒｅｓｐを減算すると、τ１＋τ２が得られる。このτ１＋τ２は、データがアクセスポイント１０と無線装置２０（または無線装置３０，４０，５０，６０）との間を往復する往復時間である。
【００７０】
なお、無線装置２０（または無線装置３０，４０，５０，６０）において計測される応答時間Ｔｒｅｓｐは、アクセスポイント１０へ送信されるので、アクセスポイント１０の距離測定部１０５は、式（１）に基づいて往復時間τ１＋τ２を容易に演算できる。
【００７１】
無線装置２０（または無線装置３０，４０，５０，６０）が移動を停止しているとき、アクセスポイント１０におけるデータの送信終了が無線装置２０（または無線装置３０，４０，５０，６０）へ伝搬される伝搬時間τ１は、無線装置２０（または無線装置３０，４０，５０，６０）におけるデータの送信開始がアクセスポイント１０へ伝搬される伝搬時間τ２と等しいので、往復時間τ１＋τ２の半分（τ１＋τ２）／２がアクセスポイント１０と無線装置２０（または無線装置３０，４０，５０，６０）との間のデータの伝搬時間になる。
【００７２】
従って、アクセスポイント１０の距離測定部１０５は、時間（τ１＋τ２）／２に光速ｃを乗算することによりアクセスポイント１０と無線装置２０（または無線装置３０，４０，５０，６０）との間の通信距離を決定する。
【００７３】
応答時間Ｔｒｅｓｐは、各無線装置２０（または無線装置３０，４０，５０，６０）において固定値であるので、トータル時間Ｔｔｏｔａｌは、データの伝搬時間τ１，τ２だけ長くなる。
【００７４】
従って、この発明は、トータル時間Ｔｔｏｔａｌがアクセスポイント１０と無線装置２０（または無線装置３０，４０，５０，６０）との間のデータの伝搬時間τ１，τ２だけ長くなることを利用してアクセスポイント１０と無線装置２０（または無線装置３０，４０，５０，６０）との間の通信距離を決定することを特徴とする。
【００７５】
［通信距離の測定］
図５は、アクセスポイント１０と無線装置２０（または無線装置３０，４０，５０，６０）との間の通信距離を決定する動作を説明するためのフローチャートである。一連の動作が開始されると、アクセスポイント１０の応答制御部１０６は、無線装置２０（または無線装置３０，４０，５０，６０）との通信距離を測定するためのデータを無線装置２０（または無線装置３０，４０，５０，６０）へ送信するように送信部１０３を制御し、送信部１０３からのデータを無線装置２０（または無線装置３０，４０，５０，６０）へ送信するように送受信切替部１０２を制御する。
【００７６】
送信部１０３は、応答制御部１０６からの制御に従って、無線装置２０（または無線装置３０，４０，５０，６０）との通信距離を測定するためのデータを生成し、その生成したデータを変調および増幅して送受信切替部１０２へ出力する。
【００７７】
送受信切替部１０２は、応答制御部１０６からの制御に従って送信部１０３からのデータをアンテナ１０１を介して無線装置２０（または無線装置３０，４０，５０，６０）へ送信する。これにより、データの無線装置２０（または無線装置３０，４０，５０，６０）への送信が開始される（ステップＳ１）。
【００７８】
その後、データが無線通信空間７０を介して無線装置２０（または無線装置３０，４０，５０，６０）へ送信され、アクセスポイント１０において、データの送信が終了すると（ステップＳ２）、送信部１０３は、信号ＤＴＦを生成して距離測定部１０５へ出力する。そして、距離測定部１０５は、送信部１０３からの信号ＤＴＦに応じて、時間計測を開始する（ステップＳ３）。
【００７９】
一方、無線装置２０（または無線装置３０，４０，５０，６０）のコントローラ２００は、Ｈレベルの信号ＳＬＴ１を生成して選択器１３０へ出力し、Ｈレベルの信号ＳＬＴ２を生成して選択器２３０へ出力する。そして、選択器１３０は、Ｈレベルの信号ＳＬＴ１に応じてスイッチ１３３を端子１３１に接続する。また、選択器２３０は、Ｈレベルの信号ＳＬＴ２に応じてスイッチ２３３を端子２３１に接続する。
【００８０】
アクセスポイント１０から送信されたデータは、無線通信空間７０を介して無線装置２０（または無線装置３０，４０，５０，６０）へ送信される。無線装置２０（または無線装置３０，４０，５０，６０）のアンテナ１２０は、無線通信空間７０を介して受信したデータを選択器１３０を介して増幅器１４０に供給する。増幅器１４０は、選択器１３０から供給されたデータを増幅してミキサー１５０へ出力する。ミキサー１５０は、増幅器１４０の出力とクロック調整器１８０からのクロック信号ＣＬＫ＿ＰＡＴとを混合してローパスフィルタ１６０へ出力する。つまり、ミキサー１５０は、ベースバンド信号をクロック信号ＣＬＫ＿ＰＡＴに同期させてローパスフィルタ１６０へ出力する。ローパスフィルタ１６０は、ミキサー１５０の出力から高周波ノイズを除去してベースバンド信号を復調器１７０及びキャリア検出器１９０へ出力する。
【００８１】
復調器１７０は、ベースバンド信号の周波数ずれ信号を検出し、その検出した周波数ずれ信号をクロック調整器１８０へ出力する。また、復調器１７０は、ベースバンド信号を復調し、その復調したデータをコントローラ２００へ出力する。クロック調整器１８０は、復調器１７０からの周波数ずれ信号に応じてアクセスポイント１０のキャリア周波数を推定し、その推定したキャリア周波数を有するクロック信号ＣＬＫ＿ＰＡＴを生成してミキサー１５０及び選択器２３０へ出力する。これにより、無線装置２０（または無線装置３０，４０，５０，６０）は、通信の相手であるアクセスポイント１０において生成されたクロック信号に同期してデータを受信する（ステップＳ４）。
【００８２】
そして、無線装置２０（または無線装置３０，４０，５０，６０）のキャリア検出器１９０は、ローパスフィルタ１６０からのベースバンド信号に基づいて、データＤＡＴＡの受信を終了したことを検出し（ステップＳ５）、データＤＡＴＡの受信を終了したことを示す信号ＤＥＴＦを生成してコントローラ２００へ出力する。
【００８３】
引き続いて、無線装置２０（または無線装置３０，４０，５０，６０）の選択器２３０は、クロック調整器１８０からのクロック信号ＣＬＫ＿ＰＡＴを１／Ｎ分周器２４０及びミキサー２７０へ出力する。１／Ｎ分周器２４０は、クロック信号ＣＬＫ＿ＰＡＴをＮ分の１に分周し、分周クロック信号ＣＬＫ＿Ｂをコントローラ２００へ出力する。
【００８４】
そうすると、無線装置２０（または無線装置３０，４０，５０，６０）のコントローラ２００は、キャリア検出器１９０から信号ＤＥＴＦを端子ＣＤＥＴに受けたタイミングに同期して、端子ＭＣＬＫに受けた分周クロック信号ＣＬＫ＿Ｂの成分個数のカウントを開始し、信号ＤＥＴＦを受けたタイミングからデータＤＡＴＡを出力するタイミングまでの応答時間Ｔｒｅｓｐを計測する（ステップＳ６）。
【００８５】
このように、無線装置２０（または無線装置３０，４０，５０，６０）は、クロック調整器１８０によって推定されたアクセスポイント１０のキャリア周波数を有するクロック信号ＣＬＫ＿ＰＡＴに基づいて応答時間Ｔｒｅｓｐを計測する。
【００８６】
なお、ステップＳ６においては、コントローラ２００は、内蔵したタイマ２０１によって、信号ＤＥＴＦを受けたタイミングからデータＤＡＴＡを出力するタイミングまでの応答時間Ｔｒｅｓｐを計測してもよい。
【００８７】
その後、無線装置２０（または無線装置３０，４０，５０，６０）のコントローラ２００は、Ｌレベルの信号ＳＬＴ１を生成して選択器１３０へ出力し、選択器１３０は、Ｌレベルの信号ＳＬＴ１に応じてスイッチ１３３を端子１３２に接続する。
【００８８】
応答時間Ｔｒｅｓｐの計測が終了すると、無線装置２０（または無線装置３０，４０，５０，６０）のコントローラ２００は、応答時間Ｔｒｅｓｐを含むデータＤＡＴＡを生成し、その生成したデータＤＡＴＡを端子ＴＤＡから変調器２５０へ出力する。そして、変調器２５０は、データＤＡＴＡを所定の変調周波数によって変調し、ローパスフィルタ２６０は、変調データの高周波ノイズを除去してベースバンド信号をミキサー２７０へ出力する。ミキサー２７０は、ローパスフィルタ２６０からのベースバンド信号と選択器２３０からのクロック信号ＣＬＫ＿ＰＡＴとを混合して増幅器２８０へ出力する。つまり、ミキサー２７０は、ベースバンド信号をクロック信号ＣＬＫ＿ＰＡＴに同期させて増幅器２８０へ出力する。増幅器２８０は、ミキサー２７０の出力を増幅して選択器１３０へ出力する。選択器１３０は、増幅器２８０の出力をアンテナ１２０を介して送信する。これにより、無線装置２０（または無線装置３０，４０，５０，６０）からアクセスポイント１０へのデータＤＡＴＡの送信が開始される（ステップＳ７）。
【００８９】
このように、無線装置２０（または無線装置３０，４０，５０，６０）は、アクセスポイント１０からのデータＤＡＴＡをアクセスポイント１０におけるキャリア周波数と同じキャリア周波数を有するクロック信号ＣＬＫ＿ＰＡＴに同期して送受信する。
【００９０】
その後、アクセスポイント１０のアンテナ１０１は、無線通信空間７０を介して受信したデータを送受信切替部１０２へ出力し、送受信切替部１０２は、アンテナ１０１からのデータＤＡＴＡを受信部１０４へ出力する。
【００９１】
そして、受信部１０４は、送受信切替部１０２からデータＤＡＴＡを受ける。これにより、アクセスポイント１０は、無線装置２０（または無線装置３０，４０，５０，６０）からのデータＤＡＴＡの受信を開始する（ステップＳ８）。受信部１０４は、無線装置２０（または無線装置３０，４０，５０，６０）からのデータＤＡＴＡの受信を開始すると、信号ＤＥＴＳを生成して距離測定部１０５へ出力するとともに、データＤＡＴＡを増幅および復調して無線装置２０（または無線装置３０，４０，５０，６０）における応答時間Ｔｒｅｓｐを抽出し、その抽出した応答時間Ｔｒｅｓｐを距離測定部１０５へ出力する。
【００９２】
距離測定部１０５は、受信部１０４から信号ＤＥＴＳを受信すると、時間計測を終了し（ステップＳ９）、トータル時間Ｔｔｏｔａｌを検出する。そして、距離測定部１０５は、その検出したトータル時間Ｔｔｏｔａｌから応答時間Ｔｒｅｓｐを減算して往復時間τ１＋τ２を演算する。その後、距離測定部１０５は、往復時間τ１＋τ２の半分（τ１＋τ２）／２に光速ｃを乗算してアクセスポイント１０と無線装置２０（または無線装置３０，４０，５０，６０）との通信距離を決定し（ステップＳ１０）、その決定した通信距離を応答制御部１０６へ出力し、または距離履歴記憶部１０７へ記憶する。
【００９３】
これにより、一連の動作が終了する。
【００９４】
上述したように、無線装置２０（または無線装置３０，４０，５０，６０）は、通信の相手であるアクセスポイント１０のキャリア周波数を有するクロック信号ＣＬＫ＿ＰＡＴに基づいて応答時間Ｔｒｅｓｐを計測する（ステップＳ６参照）。また、無線装置２０（または無線装置３０，４０，５０，６０）は、アクセスポイント１０からのデータをアクセスポイント１０におけるキャリア周波数と同じキャリア周波数を有するクロック信号ＣＬＫ＿ＰＡＴに同期して送受信する（ステップＳ４，Ｓ７参照）。
【００９５】
従って、無線装置２０（または無線装置３０，４０，５０，６０）におけるデータの受信終了タイミング、応答時間Ｔｒｅｓｐの長さ及びデータの送信開始タイミングをアクセスポイント１０において生成されたクロック信号に同期して決定することができ、アクセスポイント１０は、トータル時間Ｔｔｏｔａｌ＝τ１＋Ｔｒｅｓｐ＋τ２を正確に計測できる。その結果、アクセスポイント１０と無線装置２０（または無線装置３０，４０，５０，６０）との間の通信距離を正確に決定できる。
【００９６】
また、アクセスポイント１０は、実測された応答時間Ｔｒｅｓｐを無線装置２０（または無線装置３０，４０，５０，６０）から受信するので、無線装置２０，３０，４０，５０，６０の各々において応答時間Ｔｒｅｓｐが異なっていても、無線装置２０，３０，４０，５０，６０の各々との通信距離を正確に決定できる。
【００９７】
なお、上記においては、ＣＳＭＡ＿ＣＡ方式を用いた無線ＬＡＮシステムにおけるＳＩＦＳ（図４に示すＳＩＦＳ）を用いてアクセスポイント１０と無線装置２０（または無線装置３０，４０，５０，６０）との間の通信距離を測定すると説明したが、この発明は、これに限らず、ＣＳＭＡ＿ＣＡ方式を用いた無線ＬＡＮシステムにおけるＳＩＦＳよりも長いＰＩＦＳ（Ｐｏｉｎｔ  Ｃｏｏｒｄｉｎａｔｉｏｎ  Ｆｕｎｃｔｉｏｎ  ＩＦＳ）またはＤＩＦＳ（図４に示すＤＩＦＳ）を用いてアクセスポイント１０と無線装置２０（または無線装置３０，４０，５０，６０）との間の通信距離を測定してもよい。
【００９８】
上述したように、アクセスポイント１０は、無線装置２０（または無線装置３０，４０，５０，６０）において実測された応答時間を無線装置２０（または無線装置３０，４０，５０，６０）から受信して通信距離を決定するので、無線通信空間７０において通信していない期間であるＤＩＦＳを利用してデータＤＡＴＡをアクセスポイント１０と無線装置２０（または無線装置３０，４０，５０，６０）との間で送受信しても、通信距離を決定できる。
【００９９】
即ち、図４に示すように、ＤＩＦＳには、ＢＡＣＫ＿ＯＦＦが付随しており、このＢＡＣＫ＿ＯＦＦは可変である。従って、無線装置２０（または無線装置３０，４０，５０，６０）における応答時間を実測しない場合、ＤＩＦＳの時間的な長さを決定することができず、通信距離を決定できないが、この発明においては、無線装置２０（または無線装置３０，４０，５０，６０）における応答時間を実測するので、時間的な長さが可変するＤＩＦＳを利用した場合も、アクセスポイント１０と無線装置２０（または無線装置３０，４０，５０，６０）との間の通信距離を決定できる。
【０１００】
従って、この発明においては、無線通信空間７０において通信していない期間であるＳＩＦＳ，ＰＩＦＳ，ＤＩＦＳのいずれを利用しても、アクセスポイント１０と無線装置２０（または無線装置３０，４０，５０，６０）との間の通信距離を決定できる。
【０１０１】
上記においては、無線装置２０（または無線装置３０，４０，５０，６０）は、自己の応答時間を計測し、その計測した応答時間をアクセスポイント１０へ送信すると説明したが、この発明においては、これに限らず、無線装置２０（または無線装置３０，４０，５０，６０）は、自己の応答時間を計測してアクセスポイント１０へ送信しなくてもよい。
【０１０２】
この場合、アクセスポイント１０は、無線装置２０（または無線装置３０，４０，５０，６０）における応答時間を無線通信空間７０において通信していないＳＩＦＳまたはＰＩＦＳであると見なして往復時間τ１＋τ２を演算し、その演算した往復時間τ１＋τ２に基づいて、上述した方法によって、無線装置２０（または無線装置３０，４０，５０，６０）との通信距離を決定する。
【０１０３】
［端末固有情報の登録］
各無線装置２０，３０，４０，５０，６０は、自己の固有情報としてＭＡＣアドレスを登録用端末８０を介してアクセスポイント１０へ登録する。この場合、各無線装置２０，３０，４０，５０，６０は、ＭＡＣアドレスＭＡＣａｄｄｓを含む登録要求を無線通信により登録用端末８０へ送信する。そうすると、登録用端末８０は、各無線装置２０，３０，４０，５０，６０の登録要求を有線ＬＡＮ１を介してアクセスポイント１０へ送信する。
【０１０４】
そして、アクセスポイント１０の外部インタフェース部１１０は、有線ＬＡＮ１を介して受信した登録要求を端末登録操作部１０９へ出力する。端末登録操作部１０９は、外部インタフェース部１１０から受けた登録要求からＭＡＣアドレスＭＡＣａｄｄｓを抽出して応答制御部１０６へ出力する。
【０１０５】
応答制御部１０６は、端末登録操作部１０９からＭＡＣアドレスＭＡＣａｄｄｓを受けると、その受けたＭＡＣアドレスＭＡＣａｄｄｓを有する無線装置（無線装置２０，３０，４０，５０，６０のいずれか）との通信距離を測定するためのデータを送信するように送信部１０３および送受信切替部１０２を制御する。
【０１０６】
そして、距離測定部１０５は、上述した方法によって、ＭＡＣアドレスＭＡＣａｄｄｓを有する無線装置との通信距離を測定し、その測定した通信距離を応答制御部１０６へ出力する。応答制御部１０６は、距離測定部１０５から受けた通信距離が一定の通信距離内であるか否かを判定する。そして、応答制御部１０６は、距離測定部１０５から受けた通信距離が一定の通信距離内であるとき、登録を許可する信号ＡＬＷを生成して端末登録操作部１０９へ出力し、距離測定部１０５から受けた通信距離が一定の通信距離外であるとき、登録を禁止する信号ＩＨＢを生成して端末登録操作部１０９へ出力する。
【０１０７】
端末登録操作部１０９は、応答制御部１０６から信号ＡＬＷを受けると、ＭＡＣアドレスＭＡＣａｄｄｓを端末固有情報記憶部１０８に格納する。これにより、各無線装置２０，３０，４０，５０，６０の端末固有情報がアクセスポイント１０に登録される。
【０１０８】
一方、端末登録操作部１０９は、応答制御部１０６から信号ＩＨＢを受けると、端末固有情報を登録しない旨を外部インタフェース部１１０を介して有線ＬＡＮ１経由で登録用端末８０へ送信し、登録用端末８０は、端末固有情報を登録しない旨を無線通信により各無線装置２０，３０，４０，５０，６０へ送信する。
【０１０９】
これにより、端末固有情報の登録動作は終了する。
【０１１０】
このように、アクセスポイント１０は、各無線装置２０，３０，４０，５０，６０が一定の通信距離内に存在するとき端末固有情報としてのＭＡＣアドレスＭＡＣａｄｄｓの登録を許可し、各無線装置２０，３０，４０，５０，６０が一定の通信距離内に存在しないとき端末固有情報としてのＭＡＣアドレスＭＡＣａｄｄｓの登録を禁止する。
【０１１１】
なお、この発明においては、各無線装置２０，３０，４０，５０，６０がアクセスポイント１０から近距離（例えば、数ｍ以内）に存在する場合に、端末固有情報の登録を許可するようにするのが好ましい。
【０１１２】
［通信サービスの内容制限］
アクセスポイント１０の応答制御部１０６は、以下に説明するように、各無線装置２０，３０，４０，５０，６０との通信距離に応じて、各無線装置２０，３０，４０，５０，６０に許可する通信サービスの内容を制限する。
【０１１３】
［第１の制限方法］
図６は、通信サービスの第１の制限方法を説明するための図である。無線装置２０，４０，５０がアクセスポイント１０から一定の通信距離Ｒ内に存在し、無線装置３０がアクセスポイント１０から一定の通信距離Ｒ外に存在する場合、アクセスポイント１０は、ｗｅｂサーバおよびメールサーバへのアクセス、通信サービスＬＡＮ２に接続された他のコンピュータへのデータまたはプログラムの転送、および暗号化したデータの他のコンピュータとの送受信等の全ての通信サービスを無線装置２０，４０，５０に許可し、無線装置３０に対しては、ｗｅｂサーバおよびメールサーバへのアクセス等の全ての通信サービスを禁止する。
【０１１４】
無線装置２０，４０，５０に対して全ての通信サービスが許可されている場合、応答制御部１０６は、ｈｔｔｐ（Ｈｙｐｐｅｒ  Ｔｅｘｔ  Ｔｒａｎｓｆｅｒｐｏｒｔ  Ｐｒｏｔｏｃｏｌ）の全てのポート番号、ＰＯＰ（Ｐｏｓｔ  Ｏｆｆｉｃｅ  Ｐｒｏｔｏｃｏｌ）３の”１１０”のポート番号、ＳＭＴＰ（Ｓｉｍｐｌｅ  Ｍａｉｌ  Ｔｒａｎｓｆｅｒ  Ｐｒｏｔｏｃｌ）の”２５”のポート番号、ＦＴＰ（Ｆｉｌｅ  Ｔｒａｎｓｆｅｒ  Ｐｒｏｔｏｃｏｌ）の”２１”のポート番号、およびＳＳＨ（Ｓｅｃｕｒｅ  ＳＨｅｌｌ）の”２２”のポート番号を送信部１０３、送受信切替部１０２およびアンテナ１０１を介して無線装置２０，４０，５０へ送信する。
【０１１５】
ｈｔｔｐは、ｗｅｂサーバへアクセスするためのプロトコルである。また、ＰＯＰおよびＳＭＴＰは、メールサーバと情報を送受信するための手段であり、ＰＯＰは、メールサーバから情報を受信するときに用いられ、ＳＭＴＰは、メールサーバへ情報を送信するときに用いられる。したがって、無線装置２０，４０，５０は、ＰＯＰおよびＳＭＴＰの両方が許可されることによってメールサーバと情報を送受信できる。
【０１１６】
更に、ＦＴＰは、通信サービスＬＡＮ２に接続された他のコンピュータにファイルを転送するための手段であり、ＳＳＨは、通信サービスＬＡＮ２に接続された他のコンピュータとデータを送受信するとき、データを暗号化して送受信するためのプロトコルである。
【０１１７】
アクセスポイント１０の応答制御部１０６は、アンテナ１０１、送受信切替部１０２および受信部１０４を介して、無線装置２０，４０，５０からのアクセス要求を受信したとき、そのアクセス要求に含まれる無線装置２０，４０，５０のＭＡＣアドレスを抽出し、その抽出したＭＡＣアドレスに対応する通信距離を距離履歴記憶部１０７から読み出す。そして、応答制御部１０６は、その読み出した通信距離が一定の通信距離Ｒ内であることを確認すると、上述したｗｅｂサーバおよびメールサーバ等へのアクセスを許可し、無線装置２０，４０，５０からのアクセス要求を外部インタフェース部１１０を介して有線ＬＡＮ１および通信サービスＬＡＮ２経由でｗｅｂサーバおよびメールサーバ等へ送信する。
【０１１８】
一方、応答制御部１０６は、アンテナ１０１、送受信切替部１０２および受信部１０４を介して、無線装置３０からのアクセス要求を受信したとき、そのアクセス要求に含まれる無線装置３０のＭＡＣアドレスを抽出し、その抽出したＭＡＣアドレスに対応する通信距離を距離履歴記憶部１０７から読み出す。そして、応答制御部１０６は、その読み出した通信距離が一定の通信距離Ｒ外であることを確認すると、全てのアクセスを禁止する旨を送信部１０３、送受信切替部１０２およびアンテナ１０１を介して無線装置３０へ送信する。つまり、アクセスポイント１０は、無線装置３０の通信サービスを全面的に制限する。
【０１１９】
このように、アクセスポイント１０は、無線装置との通信距離が一定の通信距離Ｒ内であるか否かによって通信サービスの内容を制限するか否かを決定する。
【０１２０】
アクセスポイント１０から一定の通信距離Ｒ内に３台の無線装置２０，４０，５０が存在する場合、アクセスポイント１０は、各無線装置２０，４０，５０との通信距離ｒ１〜ｒ３（＜Ｒ）に応じて、各無線装置２０，４０，５０に許可する通信サービスの内容を決定するようにしてもよい。
【０１２１】
ここで、距離ｒ１〜ｒ３の相互の関係は、ｒ２＞ｒ３＞ｒ１であるとする。即ち、無線装置４０がアクセスポイント１０から最も遠く離れており、無線装置５０が、その次にアクセスポイント１０から遠く離れており、無線装置２０がアクセスポイント１０から最も近くに存在しているとする。
【０１２２】
この場合、アクセスポイント１０は、最も近くに存在する無線装置２０に対しては、ｗｅｂサーバおよびメールサーバ等へアクセスする全ての通信サービスを許可し、その次に近くに存在する無線装置５０に対しては、ｈｔｔｐによるｗｅｂサーバへのアクセス、ＰＯＰおよびＳＭＴＰによるメールサーバとの情報の送受信、およびＦＴＰによるファイル転送を許可し、最も遠くに存在する無線装置４０に対しては、ｗｅｂサーバのポート番号のうち、”８０”のポート番号へのアクセスのみを許可する。
【０１２３】
従って、アクセスポイント１０の応答制御部１０６は、無線装置２０からアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由でｗｅｂサーバへ送信し、アクセス要求を外部インタフェース部１１０を介して有線ＬＡＮ１および通信サービスＬＡＮ２経由でメールサーバへ送信し、アクセス要求を外部インタフェース部１１０を介して有線ＬＡＮ１および通信サービスＬＡＮ２経由で他のコンピュータへ送信する。これによって、無線装置２０は、ｗｅｂサーバから各種の情報を取得でき、メールサーバとの間で各種の情報を送受信でき、他のコンピュータへファイルを転送でき、他のコンピュータとの間でデータを暗号化して送受信できる。
【０１２４】
また、アクセスポイント１０の応答制御部１０６は、無線装置５０からアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由でｗｅｂサーバへ送信し、アクセス要求を外部インタフェース部１１０を介して有線ＬＡＮ１および通信サービスＬＡＮ２経由でメールサーバへ送信し、アクセス要求を外部インタフェース部１１０を介して有線ＬＡＮ１および通信サービスＬＡＮ２経由で他のコンピュータへ送信する。これによって、無線装置５０は、ｗｅｂサーバから各種の情報を取得でき、メールサーバとの間で各種の情報を送受信でき、他のコンピュータへファイルを転送できる。
【０１２５】
更に、アクセスポイント１０の応答制御部１０６は、無線装置４０からアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由でｗｅｂサーバの”８０”のポート番号へのみ送信する。これによって、無線装置４０は、ｗｅｂサーバの”８０”のポート番号に存在する情報だけを取得できる。
【０１２６】
このように、アクセスポイント１０は、一定の通信距離Ｒ内に存在する複数の無線装置２０，４０，５０に対して、通信距離ｒ１〜ｒ３に応じて各無線装置２０，４０，５０に許可する通信サービスを制限する。
【０１２７】
［第２の制限方法］
図７は、通信サービスの第２の制限方法を説明するための図である。アクセスポイント１０の応答制御部１０６は、一定の通信距離Ｒとして４つの一定の通信距離Ｒ１〜Ｒ４を保持している。そして、一定の通信距離Ｒ１〜Ｒ４は、相互にＲ１＜Ｒ２＜Ｒ３＜Ｒ４の関係を有し、通信サービスの内容に応じて設定される。
【０１２８】
例えば、通信距離Ｒ１は、ＳＳＨを用いてデータを暗号化して他のコンピュータと送受信する通信サービスに対して設定され、通信距離Ｒ２は、ＦＴＰを用いてファイルを他のコンピュータに転送する通信サービスに対して設定され、通信距離Ｒ３は、ＰＯＰおよびＳＭＴＰを用いてメールサーバと情報を送受信する通信サービスに対して設定され、通信距離Ｒ４は、ｈｔｔｐを用いてｗｅｂサーバから各種の情報を取得する通信サービスに対して設定される。
【０１２９】
そして、無線装置２０は、最も短い通信距離Ｒ１内に存在するので、アクセスポイント１０は、無線装置２０に対して、ＳＳＨを用いてデータを暗号化して他のコンピュータと送受信する通信サービスを許可する。また、無線装置３０は、通信距離Ｒ１と通信距離Ｒ２との間に存在するので、アクセスポイント１０は、無線装置３０に対してＦＴＰを用いてファイルを他のコンピュータに転送する通信サービスを許可する。更に、無線装置４０は、通信距離Ｒ２と通信距離Ｒ３との間に存在するので、アクセスポイント１０は、無線装置４０に対してＰＯＰおよびＳＭＴＰを用いてメールサーバと情報を送受信する通信サービスを許可する。更に、無線装置５０は、通信距離Ｒ３と通信距離Ｒ４との間に存在するので、アクセスポイント１０は、無線装置５０に対してｈｔｔｐを用いてｗｅｂサーバから各種の情報を取得する通信サービスを許可する。
【０１３０】
従って、アクセスポイント１０の応答制御部１０６は、無線装置２０からのアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由で他のコンピュータへ送信する。これによって、無線装置２０は、他のコンピュータとの間でデータを暗号化して送受信できる。
【０１３１】
また、アクセスポイント１０の応答制御部１０６は、無線装置３０からのアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由で他のコンピュータへ送信する。これによって、無線装置３０は、他のコンピュータへファイルを転送できる。
【０１３２】
更に、アクセスポイント１０の応答制御部１０６は、無線装置４０からのアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由でメールサーバへ送信する。これによって、無線装置４０は、メールサーバと各種の情報を送受信できる。
【０１３３】
更に、アクセスポイント１０の応答制御部１０６は、無線装置５０からのアクセス要求をアンテナ１０１、送受信切替部１０２および受信部１０４を介して受信すると、そのアクセス要求を外部インタフェース部１１０を介して有線ＬＡＮ１および通信サービスＬＡＮ２経由でｗｅｂサーバへ送信する。これによって、無線装置５０は、ｗｅｂサーバから情報を取得できる。
【０１３４】
このように、アクセスポイント１０は、一定の通信距離Ｒ１〜Ｒ４を通信サービスの内容に応じて設定し、その設定した通信距離Ｒ１〜Ｒ４内に無線装置２０，３０，４０，５０，６０が存在するか否かによって通信サービスの内容を制限する。
【０１３５】
つまり、アクセスポイント１０は、各無線装置２０，３０，４０，５０，６０との通信距離に応じて、通信サービスの内容を段階的に変更する。
【０１３６】
なお、応答制御部１０６は、複数の通信距離Ｒ１〜Ｒ４に対応して複数の通信サービス（ｗｅｂサーバからの情報の取得、メールサーバとの上方の送受信、他のコンピュータへのファイルの転送および暗号化した情報の他のコンピュータとの送受信）を保持しており、各無線装置２０，３０，４０，５０，６０からアクセス要求を受信すると、そのアクセス要求から各無線装置２０，３０，４０，５０，６０のＭＡＣアドレスを抽出し、その抽出したＭＡＣアドレスに対応する通信距離を距離履歴記憶部１０７から読み出し、保持している複数の通信距離Ｒ１〜Ｒ４と複数の通信サービスとの対応関係に基づいて、許可する通信サービスを決定する。
【０１３７】
［第３の制限方法］
図８は、図２に示す距離履歴記憶部１０７が記憶する距離履歴の概念図である。なお、以下においては、図８に示す通信距離は、全て、一定の通信距離Ｒ内であることを前提として説明する。
【０１３８】
図８において、ＭＡＣアドレスＭＡＣＡ１〜ＭＡＣＡ４は、それぞれ、無線装置２０，３０，４０，５０のＭＡＣアドレスを表す。
【０１３９】
アクセスポイント１０の距離測定部１０５は、例えば、１時間毎に無線装置２０，３０，４０，５０との通信距離を上述した方法によって測定し、その測定した通信距離を距離履歴として距離履歴記憶部１０７に記憶する。
【０１４０】
距離履歴記憶部１０７は、距離測定部１０５によって測定された通信距離を無線装置２０，３０，４０，５０，６０のＭＡＣアドレスＭＡＣＡ１〜ＭＡＣＡ４に対応付けて時間毎に記憶する。
【０１４１】
応答制御部１０６は、各無線装置２０，３０，４０，５０からのアクセス要求をアンテナ１０１、送受信切替部１０２および受信部１０４を介して受け、その受けたアクセス要求に含まれるＭＡＣアドレス（ＭＡＣアドレスＭＡＣＡ１〜ＭＡＣＡ４のいずれか）を抽出する。そして、応答制御部１０６は、その抽出したＭＡＣアドレスと同じＭＡＣアドレスに対応する距離履歴を距離履歴記憶部１０７から読み出し、その読み出した距離履歴に基づいて各無線装置２０，３０，４０，５０に許可する通信サービスの内容を決定する。
【０１４２】
ＭＡＣアドレスＭＡＣＡ１に対応する距離履歴は、無線装置２０が殆ど移動していないことを示しているので、応答制御部１０６は、無線装置２０に対してｗｅｂサーバへのアクセス等の全ての通信サービスを許可する。
【０１４３】
また、ＭＡＣアドレスＭＡＣＡ２に対応する距離履歴は、無線装置３０がアクセスポイント１０から遠ざかっていることを示しているので、応答制御部１０６は、無線装置３０に対してｗｅｂサーバへのアクセスのみを許可する。
【０１４４】
更に、ＭＡＣアドレスＭＡＣＡ３に対応する距離履歴は、無線装置４０がアクセスポイント１０へ近づいていることを示しているので、応答制御部１０６は、無線装置４０に対してｗｅｂサーバへのアクセス、メールサーバへのアクセス、およびＦＴＰによるファイル転送を許可する。
【０１４５】
更に、ＭＡＣアドレスＭＡＣＡ４に対応する距離履歴は、無線装置５０がアクセスポイント１０に近づいたり、遠ざかったりしていることを示しているので、応答制御部１０６は、無線装置５０に対してｗｅｂサーバへのアクセスおよびメールサーバへのアクセスを許可する。
【０１４６】
このように、応答制御部１０６は、各無線装置２０，３０，４０，５０の距離履歴に基づいて、各無線装置２０，３０，４０，５０に許可する通信サービスの内容を決定する。
【０１４７】
上記の例においては、応答制御部１０６は、以下の基準によって各無線装置２０，３０，４０，５０に許可する通信サービスの内容を決定した。
【０１４８】
（１）殆ど移動していない無線装置２０、すなわち、アクセスポイント１０か
らの通信距離がほぼ一定である無線装置２０に対しては、全ての通信サー
ビスを許可する。
【０１４９】
（２）アクセスポイント１０から遠ざかっている無線装置３０に対しては、通
信サービスの内容を最も制限する。
【０１５０】
（３）アクセスポイント１０に近づいている無線装置４０に対しては、相対的
に多くの通信サービスを許可する。
【０１５１】
（４）アクセスポイント１０に近づいたり、遠ざかったりしている無線装置５
０に対しては、相対的に少ない通信サービスを許可する。
【０１５２】
殆ど一定の場所に留まっている無線装置２０は、アクセスポイント１０を介して取得した各種の情報を他へ持ち出す可能性が最も低く、最も信頼できるので、全ての通信サービスを許可することにしたものである。
【０１５３】
また、アクセスポイント１０から遠ざかっている無線装置３０は、アクセスポイント１０を介して取得した情報を他へ持ち出す可能性が最も高いので、通信サービスの内容を最も制限することにしたものである。
【０１５４】
更に、アクセスポイント１０に近づいている無線装置４０は、アクセスポイント１０を介して取得した情報を他へ持ち出す可能性が低いが、一定の場所に留まるか否か不明であるので、相対的に多くの通信サービスを許可することにしたものである。
【０１５５】
更に、アクセスポイント１０に近づいたり、遠ざかったりしている無線装置５０は、アクセスポイント１０を介して取得した情報を他へ持ち出す可能性が高いか低いかが不明であるので、相対的に少ない通信サービスを許可することにしたものである。
【０１５６】
このような、通信サービスの内容を決定する基準は、１つの例であって、この発明においては、他の基準によって通信サービスの内容を決定してもよい。例えば、各無線装置２０，３０，４０，５０，６０が移動する速度を基準にして通信サービスの内容を決定してもよい。
【０１５７】
この場合、プラスの速度は、無線装置がアクセスポイント１０から遠ざかっていることを表し、マイナスの速度は、無線装置がアクセスポイント１０に近づいていることを表す。そして、最も速い速度でアクセスポイント１０に近づいている無線装置に対しては、全ての通信サービスを許可し、最も速い速度よりも遅い速度でアクセスポイント１０に近づいている無線装置に対しては、相対的に多くの通信サービスを許可し、最も速い速度で遠ざかっている無線装置に対しては、通信サービスを最も制限し、最も速い速度よりも遅い速度で遠ざかっている無線装置に対しては、相対的に少ない通信サービスを許可する。この場合、応答制御部１０６は、距離履歴記憶部１０７から取得した通信距離の履歴に基づいて、各無線装置２０，３０，４０，５０，６０の移動速度を演算し、その演算した移動速度を上記の基準に当てはめて各無線装置２０，３０，４０，５０，６０に許可する通信サービスの内容を決定する。
【０１５８】
また、距離履歴に基づいて通信サービスの内容を決定する場合、各無線装置２０，３０，４０，５０，６０がアクセスポイント１０へアクセスした時点から任意の範囲の通信距離の履歴に基づいて通信サービスの内容を決定してもよい。図８に示す例では、各無線装置２０，３０，４０，５０，６０がアクセスポイント１０へアクセスした時点から４時間以内の通信距離の履歴に基づいて通信サービスの内容を決定したが、この発明においては、各無線装置２０，３０，４０，５０，６０がアクセスポイント１０へアクセスした時点から１時間以内、１週間以内、１ヶ月以内、および１年以内等の各種の一定期間内の通信距離の履歴に基づいて通信サービスの内容を決定してもよい。
【０１５９】
なお、一定期間を各種設定する場合、その設定した一定期間に適合するようにアクセスポイント１０と各無線装置２０，３０，４０，５０，６０との通信距離を測定する時間間隔を設定する必要がある。
【０１６０】
［第４の制限方法］
応答制御部１０６は、各無線装置２０，３０，４０，５０，６０からのアクセス要求をアンテナ１０１、送受信切替部１０２および受信部１０４を介して受けると、その受けたアクセス要求に含まれるＭＡＣアドレス（ＭＡＣアドレスＭＡＣＡ１〜ＭＡＣＡ５のいずれか）が端末固有情報記憶部１０８に記憶されているか否かを検索する。
【０１６１】
ＭＡＣアドレスが端末固有情報記憶部１０８に記憶されている場合、応答制御部１０６は、アクセス要求を送信した無線装置に対して全ての通信サービスを許可する。
【０１６２】
この場合、応答制御部１０６は、アクセス要求に含まれるＭＡＣアドレスに基づいて、距離履歴記憶部１０７から通信距離も読み出し、その読み出した通信距離が長くなっていても、即ち、アクセス要求を送信した無線装置がアクセスポイント１０から遠ざかっている場合でも、全ての通信サービスを許可する。
【０１６３】
一方、ＭＡＣアドレスが端末固有情報記憶部１０８に記憶されていない場合、応答制御部１０６は、アクセス要求を送信した無線装置に対して全ての通信サービスを禁止する。
【０１６４】
この場合も、応答制御部１０６は、アクセス要求に含まれるＭＡＣアドレスに基づいて、距離履歴記憶部１０７から通信距離を読み出し、その読み出した通信距離が短くなっていても、即ち、アクセス要求を送信した無線装置がアクセスポイント１０に近づいている場合でも、全ての通信サービスを禁止する。
【０１６５】
また、ＭＡＣアドレスが端末固有情報記憶部１０８に記憶されていない場合、応答制御部１０６は、アクセス要求を送信した無線装置に対して一部の通信サービスを許可するようにしてもよい。例えば、応答制御部１０６は、ｗｅｂサーバのうち、”８０”のポート番号へアクセスすることのみを許可するようにしてもよい。
【０１６６】
このように、応答制御部１０６は、アクセス要求を送信した無線装置の端末固有情報がアクセスポイント１０に登録されているか否かに基づいて通信サービスの内容を決定する。
【０１６７】
なお、端末固有情報の登録／未登録によって通信サービスの内容を制限する場合、アクセスポイント１０と各無線装置２０，３０，４０，５０，６０との通信距離が一定の通信距離Ｒ内であるか否かを判定してもよく、判定しなくてもよい。
【０１６８】
上述した各種の制限方法においては、アクセスポイント１０と各無線装置２０，３０，４０，５０，６０との通信距離が一定の通信距離内である場合、または各無線装置２０，３０，４０，５０，６０の端末固有情報がアクセスポイント１０に登録されている場合、全ての通信サービスまたは相対的に多くの通信サービスを各無線装置２０，３０，４０，５０，６０に許可し、通信距離が一定の通信距離外である場合、または端末固有情報がアクセスポイント１０に登録されていない場合、通信サービスを禁止または相対的に少ない通信サービスに制限する。
【０１６９】
従って、アクセスポイント１０を介して取得された各種の情報がネットワーク外へ持ち出されるのを抑制できる。
【０１７０】
上記においては、通信サービスの内容を制限する各種の方法を説明したが、この発明においては、上述した方法に限られず、アクセスポイント１０を介して取得された各種の情報がネットワーク外へ持ち出されないように通信サービスの内容を制限する方法であれば、どのような制限方法であってもよい。
【０１７１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１７２】
この発明は、各種情報のネットワーク外への持ち出しを抑制可能な無線ネットワークシステムに適用される。
【図面の簡単な説明】
【０１７３】
【図１】この発明の実施の形態による無線ネットワークシステムの概略ブロック図である。
【図２】図１に示すアクセスポイントの構成を示す概略ブロック図である。
【図３】図１に示す無線装置の構成を示す概略ブロック図である。
【図４】送信データ及び受信データのタイミングチャートである。
【図５】アクセスポイントと無線装置との間の通信距離を決定する動作を説明するためのフローチャートである。
【図６】通信サービスの第１の制限方法を説明するための図である。
【図７】通信サービスの第２の制限方法を説明するための図である。
【図８】図２に示す距離履歴記憶部が記憶する距離履歴の概念図である。
【符号の説明】
【０１７４】
１０  アクセスポイント、２０，３０，４０，５０，６０  無線装置、７０  無線通信空間、１００  無線ネットワークシステム、１０１，１２０  アンテナ、１０２  送受信切替部、１０３  送信部、１０４  受信部、１０５  距離測定部、１０６  応答制御部、１０７  距離履歴記憶部、１０８  端末固有情報記憶部、１０９  端末登録操作部、１１０  外部インタフェース部、１３０，２３０  選択器、１３１，１３２，２３１，２３２  端子、１３３，２３３  スイッチ、１４０，２８０  増幅器、１５０，２７０  ミキサー、１６０，２６０  ローパスフィルタ、１７０  復調器、１８０  クロック調整器、１９０  キャリア検出器、２００  コントローラ、２０１  タイマ、２１０  水晶発振器、２２０  クロック発生器、２４０  １／Ｎ分周器、２５０  変調器。
【図１】
2006025360.tif 000003
【図２】
2006025360.tif 000004
【図３】
2006025360.tif 000005
【図４】
2006025360.tif 000006
【図５】
2006025360.tif 000007
【図６】
2006025360.tif 000008
【図７】
2006025360.tif 000009
【図８】
2006025360.tif 000010